(57)【要約】【課題】複数の加熱手段を備える加熱調理器の冷却効率を向上させる。【解決手段】加熱調理器は、矩形の本体と、本体の上面に配設されているトッププレートとを有する。トッププレートには、被加熱物が載置される第１載置部と、被加熱物が載置される第２載置部が形成され、第１載置部及び第２載置部は対角線上に並べられている。本体内において、第１載置部の下方に第１加熱手段が設けられ、第２載置部の下方に第２加熱手段が設けられている。本体内に単一のファンが設けられている。ファンから送出される風が、ファンの送出方向と交差する方向であって本体の内方へ向かう方向に導かれ、次いでファンの送出方向の逆方向に導かれ、次いでファンへ向かう方向へ送出される風路が形成されている。この風路に、第１加熱手段及び第２加熱手段の駆動回路が実装されている駆動回路基板と電源回路基板と第１加熱手段と第２加熱手段が位置している。【選択図】図１２
2019087367.tif 000002
【特許請求の範囲】
【請求項１】
矩形の本体と、前記本体の上方に配設されているトッププレートとを有する加熱調理器であって、
前記トッププレートには、被加熱物が載置される第１載置部と、被加熱物が載置される第２載置部が形成され、前記第１載置部及び前記第２載置部は対角線上に並べられており、
前記本体内において、
前記第１載置部の下方に設けられている第１加熱手段と、
前記第２載置部の下方に設けられている第２加熱手段と、
前記本体内に設けられている単一のファンと、
前記第１加熱手段及び前記第２加熱手段の駆動回路が実装されている駆動回路基板と、
前記加熱調理器に電源を供給する電源回路基板とを備え、
前記ファンから送出される風が、前記ファンの送出方向と交差する方向であって前記本体の内方へ向かう方向に導かれ、次いで前記ファンの送出方向の逆方向に導かれ、次いで前記ファンへ向かう方向へ送出される風路が形成されており、
前記風路に前記駆動回路基板と前記電源回路基板と前記第１加熱手段と前記第２加熱手段が位置している加熱調理器。
【請求項２】
前記風路は、前記ファンから送出される風が流入する第１ダクトと、前記ファンへ風を送出する第２ダクトとで構成されており、
前記第１ダクトは、前記駆動回路基板が載置される第１基板取付板と、前記駆動回路基板を覆う第１基板カバーとで構成され、
前記第２ダクトは、前記電源回路基板が載置される第２基板取付板と、前記電源回路基板を覆う第２基板カバーとで構成され、
前記第１基板カバーには開口部が形成され、
前記第２基板カバーの表面には風路壁が立設され、
前記第１加熱手段は、前記第１基板カバーの上方において、前記開口部を覆うよう配置されており、
前記第１ダクトへ流入した風の一部は、前記第１ダクトから前記第２ダクトへ送出され、
前記第１ダクトへ流入した風の一部は、前記開口部から前記第１加熱手段へ送出され、前記風路壁を介して前記第２加熱手段へ導かれる請求項１に記載の加熱調理器。
【請求項３】
前記本体の底面に吸気口が形成されており、
前記ファンが回転すると前記吸気口から外気が吸気され、前記ファンから風が送出され、前記第１ダクトに流入し、
前記第２ダクトから送出された風、及び前記第２加熱手段へ導かれた風は、前記本体に形成された排気口から外方へ排出される請求項２に記載の加熱調理器。
【請求項４】
前記本体において、前記第２加熱手段が配置されている側に、前記排気口が形成されている請求項３に記載の加熱調理器。
【請求項５】
前記第１基板カバーの裏面に、前記駆動回路基板に実装されている電子部品へ風を導く仕切壁が立設されている請求項２〜４のいずれか一項に記載の加熱調理器。
【請求項６】
前記第１載置部と前記第１加熱手段と前記第１ダクトは、前記加熱調理器の前方側に配置され、
前記第２載置部と前記第２加熱手段と前記第２ダクトは、前記加熱調理器の後方側に配置され、
前記ファンは、前記加熱調理器の後方側において前記第２加熱手段の下方に配置されている請求項２〜５のいずれか一項に記載の加熱調理器。
【請求項７】
前記電源回路基板は、前記本体内において、前記第１加熱手段及び前記第２加熱手段が配置されていない領域に配置されている請求項１〜６のいずれか一項に記載の加熱調理器。
【請求項８】
前記ファンは遠心ファンである請求項１〜７のいずれか一項に記載の加熱調理器。
【請求項９】
前記ファンの回転方向は、前記ファンから送出される風が、前記風路において、前記ファンの送出方向と交差する方向であって前記本体の内方へ向かう曲がりの方向と、同一である請求項８に記載の加熱調理器。
【請求項１０】
前記第１加熱手段の最大火力は前記第２加熱手段の最大火力よりも大きい請求項１〜９のいずれか一項に記載の加熱調理器。
【発明の詳細な説明】
【技術分野】
【０００１】
本発明は、トッププレートに被加熱物を載置して加熱する加熱調理器に関する。
【背景技術】
【０００２】
従来、本体の上方にトッププレートが配設され、トッププレートに被加熱物が載置される載置部が形成されている加熱調理器がある。このタイプの加熱調理器は、本体内において載置部の下方に加熱コイルが配置されており、加熱コイルを駆動することにより、載置部に載置された被加熱物が加熱される。また、本体内には、加熱コイルを駆動するインバーターが設けられている。さらに、本体内にはファンが設けられており、このファンを駆動することにより冷却風が供給され、本体内部の温度上昇が抑制される（例えば、特許文献１）。
【先行技術文献】
【特許文献】
【０００３】
【特許文献１】特開２０１２−２４３５４４号公報
【発明の概要】
【発明が解決しようとする課題】
【０００４】
特許文献１に記載の誘導加熱調理器は、インバーター用のメインファンと、前側加熱コイル用の前側サブファンと、後側加熱コイル用の後側サブファンとを備えている。すなわち、３つのファンで１つの誘導加熱調理器の内部を冷却するよう構成されている。従って、冷却効率が悪いという問題がある。
【０００５】
本発明は、上述のような課題を背景としてなされたものであり、複数の加熱手段を備える加熱調理器の冷却効率を向上させることを目的としている。
【課題を解決するための手段】
【０００６】
本発明に係る加熱調理器は、矩形の本体と、前記本体の上方に配設されているトッププレートとを有する加熱調理器であって、前記トッププレートには、被加熱物が載置される第１載置部と、被加熱物が載置される第２載置部が形成され、前記第１載置部及び前記第２載置部は対角線上に並べられており、前記本体内において、前記第１載置部の下方に設けられている第１加熱手段と、前記第２載置部の下方に設けられている第２加熱手段と、前記本体内に設けられている単一のファンと、前記第１加熱手段及び前記第２加熱手段の駆動回路が実装されている駆動回路基板と、前記加熱調理器に電源を供給する電源回路基板とを備え、前記ファンから送出される風が、前記ファンの送出方向と交差する方向であって前記本体の内方へ向かう方向に導かれ、次いで前記ファンの送出方向の逆方向に導かれ、次いで前記ファンへ向かう方向へ送出される風路が形成されており、前記風路に前記駆動回路基板と前記電源回路基板と前記第１加熱手段と前記第２加熱手段が位置しているものである。
【発明の効果】
【０００７】
本発明によれば、駆動回路基板と、電源回路基板と、第１加熱手段と、第２加熱手段の冷却が単一のファンから送出される風により、本体内の冷却が実行される。すなわち、駆動回路基板、電源回路基板、第１加熱手段、及び第２加熱手段のそれぞれに、冷却するためのファンを設ける必要がなく、冷却効率を向上させることができる。
【図面の簡単な説明】
【０００８】
【図１】本発明の実施の形態に係る加熱調理器の斜視図である。
【図２】本発明の実施の形態に係る加熱調理器の分解斜視図である。
【図３】本発明の実施の形態に係る加熱調理器の本体の外郭ケースの斜視図である。
【図４】本発明の実施の形態に係る加熱調理器の本体の外郭ケースの分解斜視図である。
【図５】本発明の実施の形態に係る加熱調理器の内部構造を示す平面図である。
【図６】本発明の実施の形態に係る加熱調理器の内部構造を示す平面図である。
【図７】本発明の実施の形態に係る加熱調理器の内部構造を示す斜視図である。
【図８】駆動回路基板カバーの裏面を示す図である。
【図９】駆動回路基板カバーを裏面から示す斜視図である。
【図１０】駆動回路基板カバーの一部を切り欠いて示す図である。
【図１１】図１０の太線枠Ｘ内を拡大して示す図である。
【図１２】本発明の実施の形態に係る加熱調理器の内部構造を示す平面図である。
【図１３】本発明の実施の形態に係る加熱調理器の内部構造を示す斜視図である。
【発明を実施するための形態】
【０００９】
以下、本発明の加熱調理器の好適な実施の形態について図面を用いて説明する。尚、以下に説明する実施の形態によって本発明が限定されるものではない。また、図面における各構成部材の大きさ及び形状は、説明のためにわかりやすく表しており、実際の大きさ及び形状と異なる場合がある。
【００１０】
実施の形態．
図１は、本発明の実施の形態に係る加熱調理器の斜視図である。図２は、本発明の実施の形態に係る加熱調理器の分解斜視図である。加熱調理器１は、本体１０と、トッププレート２０と、フレーム３０を有している。本体１０は矩形の形状を有している。トッププレート２０は本体１０の上方に配設され、フレーム３０に保持されている。トッププレート２０は矩形の形状を有している。トッププレート２０には、第１載置部である前側載置部２１と、第２載置部である後側載置部２２が形成されている。前側載置部２１及び後側載置部２２は、それぞれ被加熱物が載置される載置部である。前側載置部２１は、トッププレート２０の前方側であって左側に形成され、後側載置部２２は、トッププレート２０の後方側であって右側に形成されている。すなわち、前側載置部２１と後側載置部２２は、トッププレート２０の対角線上に形成されている。
【００１１】
フレーム３０の前方側の縁部には操作部３１が配置されている。操作部３１には、前側操作ボタン群３２、後側操作ボタン群３３、電源ボタン３４、及びタイマーボタン群３７等が設けられている。前側操作ボタン群３２は、前側載置部２１における加熱条件等を操作するための複数の操作ボタンからなり、後側操作ボタン群３３は、後側載置部２２における加熱条件等を操作するための複数の操作ボタンからなっている。電源ボタン３４は、加熱調理器１の電源をＯＮ及びＯＦＦするための操作ボタンである。タイマーボタン群３７により、各載置部の加熱時間を設定することができる。フレーム３０の後方側の縁部において、右側の領域に排気口３５が形成されている。フレーム３０の後方側の縁部には、排気カバー３６が排気口３５を覆うように取り付けられている。
【００１２】
トッププレート２０において、前方側の縁部と右側の縁部とが交差する角部に、表示部４０が設けられている。すなわち、表示部４０は、前側載置部２１及び後側載置部２２が形成されていない領域に設けられている。タイマーボタン群３７の操作に応じて表示される各載置部の加熱残り時間は、表示部４０を介して視認される。
【００１３】
図３は、本発明の実施の形態に係る加熱調理器の本体の外郭ケースの斜視図である。外郭ケース３００は上面が開口している箱形の形状を呈している。外郭ケース３００は、矩形の底面３０１と、前側面３０２と、後側面３０３と、右側面３０４と、左側面３０５とを有している。前側面３０２は、底面３０１の前方側の縁部に沿って上方向に向かって立設されている。後側面３０３は、底面３０１の後方側の縁部に沿って上方向に向かって立設されている。右側面３０４は、底面３０１の右側の縁部に沿って上方向に向かって立設されている。左側面３０５は、底面３０１の左側の縁部に沿って上方向に向かって立設されている。後側面３０３には後方に延びるフランジ３０６が形成されている。
【００１４】
排気口３５は、フランジ３０６において右半分の領域に形成されている。底面３０１の右側の後方の領域に吸気口３０７が形成されている。後側面３０３において、右半分の領域にスリット３０８が形成されている。スリット３０８は複数の長穴で構成されている。スリット３０８の複数の長穴は、長手方向が上下方向に沿うよう形成されており、横方向に沿って上下に２列配置されている。本実施の形態において、吸気口３０７、スリット３０８、及び排気口３５は、外郭ケース３００の右側の後方の領域に集められて位置決めされている。
【００１５】
図４は、本発明の実施の形態に係る加熱調理器の本体の外郭ケースの分解斜視図である。後側面３０３と右側面３０４が交差するコーナーにはＬ字型の補強金具３０９が取り付けられている。後側面３０３と左側面３０５が交差するコーナーにはＬ字型の補強金具３１０が取り付けられている。後側面３０３の後方には後部ケース３１１が取り付けられている。後部ケース３１１はスリット３０８とオーバーラップしている。
【００１６】
図５は、本発明の実施の形態に係る加熱調理器の内部構造を示す平面図である。図５は、トッププレート２０と操作部３１を取り外した状態を示している。本体１０の外郭ケース３００の内部には、第１加熱コイル５１と、第２加熱コイル５２と、表示ユニット４１と、操作基板４２と、操作ボタン群４３と、駆動回路基板カバー６７と、電源回路基板カバー７３が設けられている。第１加熱コイル５１は、第１加熱手段であり、誘導加熱コイルである。第２加熱コイル５２は、第２加熱手段であり、誘導加熱コイルである。駆動回路基板カバー６７は、第１基板カバーであり、電源回路基板カバー７３は、第２基板カバーである。第１加熱コイル５１の最大火力は第２加熱コイル５２の最大火力よりも大きい。第１加熱コイル５１は、トッププレート２０の裏面側において、上述の前側載置部２１の下方に配置されている。第２加熱コイル５２は、トッププレート２０の裏面側において、上述の後側載置部２２の下方に配置されている。第１加熱コイル５１は、外郭ケース３００内の前方側であって左側に配置され、第２加熱コイル５２は、外郭ケース３００内の後方側であって右側に形成されており、第１加熱コイル５１と第２加熱コイル５２は、外郭ケース３００の対角線上に配置されている。また、電源回路基板カバー７３は、外郭ケース３００内の後方側であって左側に配置されており、第１加熱コイル５１及び第２加熱コイルが配置されていない領域に配置されている。
【００１７】
第１加熱コイル５１及び操作基板４２は、駆動回路基板カバー６７の上面に取り付けられている。駆動回路基板カバー６７の上面には、遮熱壁６８が設けられている。電源回路基板カバー７３の上面には風路壁７４が設けられている。太矢印Ｙ８は、本体１０内における風の流れを示している。駆動回路基板カバー６７、遮熱壁６８、電源回路基板カバー７３、風路壁７４、及び太矢印Ｙ８で示される風の流れについては後述する。
【００１８】
図６は、本発明の実施の形態に係る加熱調理器の内部構造を示す平面図である。外郭ケース３００の底面３０１の表面において、前側には駆動回路基板取付板６０が設けられている。底面３０１の表面において、後側には電源回路基板取付板７０とファン取付板８０が設けられている。電源回路基板取付板７０は左側に位置し、ファン取付板８０は右側に位置している。電源回路基板取付板７０とファン取付板８０は一体化している。外郭ケース３００の上下方向において、ファン取付板８０は電源回路基板取付板７０よりも、上側に位置している。電源回路基板取付板７０とファン取付板８０の間には、電源回路基板取付板７０からファン取付板８０へ向けて上方向に傾斜している斜面部９０が形成されている。駆動回路基板取付板６０は、第１基板取付板であり、電源回路基板取付板７０は、第２基板取付板である。
【００１９】
電源回路基板取付板７０の上面には電源回路基板７１が取り付けられている。電源回路基板７１は、加熱調理器１に電源を供給するものである。電源回路基板７１にはノイズフィルタ７２が実装されている。図５を参照して上述したように、第１加熱コイル５１は、外郭ケース３００内の前方側であって左側に配置され、第２加熱コイル５２は、外郭ケース３００内の後方側であって右側に形成されている。そして、電源回路基板取付板７０は外郭ケース３００の底面３０１において、後方側の左側に位置している。従って、ノイズフィルタ７２が実装されている電源回路基板７１は、本体１０内において、第１加熱コイル５１及び第２加熱コイル５２が配置されていない領域に配置されている。ファン取付板８０の上面にはファン搭載部８１が取り付けられている。ファン搭載部８１には円形の開口部８２が形成されている。ファン搭載部８１は、開口部８２が上述の外郭ケース３００の底面３０１に形成されている吸気口３０７の上方に位置するよう、配置されている。ファン搭載部８１には後述のシロッコファンが搭載される。
【００２０】
駆動回路基板取付板６０の上面には、駆動回路基板６１が取り付けられている。駆動回路基板６１は、第１加熱コイル５１及び第２加熱コイル５２の駆動回路が実装されている駆動回路基板である。駆動回路基板６１の上面には、第１電子部品グループ９１と第２電子部品グループ９２と仕切板６６が搭載されている。第１電子部品グループ９１は、上述の第１加熱コイル５１を周波数駆動するインバーター素子６２と、インバーター素子６２が発する熱を放熱するための第１放熱フィン群６３とを有している。インバーター素子６２は第１駆動手段であり、第１放熱フィン群６３は第１放熱部材である。第２電子部品グループ９２は、上述の第２加熱コイル５２を周波数駆動するインバーター素子６４と、インバーター素子６４が発する熱を放熱するための第２放熱フィン群６５とを有している。インバーター素子６４は第２駆動手段であり、第２放熱フィン群６５は第２放熱部材である。
【００２１】
第１電子部品グループ９１及び第２電子部品グループ９２は、駆動回路基板６１の前後方向の略中央、かつ左右方向のファン搭載部８１寄りに位置決めされている。第１電子部品グループ９１は、第２電子部品グループ９２よりも、ファン搭載部８１により近い側に位置している。換言すると、第２電子部品グループ９２は、第１電子部品グループ９１よりも、ファン搭載部８１からより遠い側に位置している。仕切板６６は、第１電子部品グループ９１と第２電子部品グループ９２との間に配置されている。仕切板６６は絶縁部材で構成されている。
【００２２】
図７は、本発明の実施の形態に係る加熱調理器の内部構造を示す斜視図である。図７は、図５に示されている第１加熱コイル５１、第２加熱コイル５２、表示ユニット４１、操作基板４２、及び操作ボタン群４３を取り外した状態を示している。電源回路基板カバー７３は、図６に示されている電源回路基板取付板７０の上に配置されており、図６に示されている電源回路基板７１を覆っている。電源回路基板カバー７３と電源回路基板取付板７０とで、第２ダクト１７０が構成されている。電源回路基板カバー７３の前側部には風が流入する送入口７３１が形成され、右側部には風が送り出される送出口７３２が形成されている。すなわち、第２ダクト１７０において、送入口７３１から送り込まれ、送出口７３２から送り出される風の風路上に、電源回路基板７１が位置している。
【００２３】
電源回路基板カバー７３の上面に立設されている風路壁７４は、円弧状の形状を呈している。風路壁７４は、一方の端部が電源回路基板カバー７３の左側部の略中央に位置し、他方の端部が電源回路基板カバー７３の後側部と右側部とが交差する角部に位置しており、外郭ケース３００の外側に向けて膨らむように湾曲している。
【００２４】
ファン搭載部８１には遠心ファンであるシロッコファン８３が搭載されている。シロッコファン８３は、風が水平方向に送り出されるよう配置されている。また、シロッコファン８３は、外郭ケース３００に対して、回転方向Ｒとは逆方向に回転させた姿勢で、ファン搭載部８１に取り付けられている。
【００２５】
駆動回路基板カバー６７は、図６に示されている駆動回路基板取付板６０の上に配置されており、図６に示されている駆動回路基板６１を覆っている。駆動回路基板カバー６７と駆動回路基板取付板６０とで、第１ダクト１６０が構成されている。
【００２６】
図８は、駆動回路基板カバーの裏面を示す図である。図９は、駆動回路基板カバーを裏面から示す斜視図である。図７、図８、及び図９を参照しながら、第１ダクト１６０及び駆動回路基板カバー６７について説明する。駆動回路基板カバー６７は、本体凸部６７１とフランジ６７２とを有している。本体凸部６７１は、全体として底部が開口している直方体の形状を呈しており、一対の長辺側面部６７１Ａ及び長辺側面部６７１Ｂと、一対の短辺側面部６７１Ｃ及び短辺側面部６７１Ｄとを有している。長辺側面部６７１Ａと長辺側面部６７１Ｂは互いに略平行に延びている。短辺側面部６７１Ｃと短辺側面部６７１Ｄは、互いに略平行に延び、かつ長辺側面部６７１Ａ及び長辺側面部６７１Ｂと交差している。フランジ６７２は、本体凸部６７１の長辺側面部６７１Ｂと、短辺側面部６７１Ｃと、と短辺側面部６７１Ｄとに形成されている。駆動回路基板カバー６７は、フランジ６７２が形成されていない長辺側面部６７１Ａが前方に位置するよう、駆動回路基板取付板６０に取り付けられている。
【００２７】
本体凸部６７１には風が流入する送入口６７３と、風が送り出される送出口６７４とが設けられている。送入口６７３は、長辺側面部６７１Ａが短辺側面部６７１Ｃと交差する角部において、長辺側面部６７１Ａに形成されている。送出口６７４は、長辺側面部６７１Ａが短辺側面部６７１Ｄと交差する角部において、長辺側面部６７１Ａに形成されている。
【００２８】
本体凸部６７１には、開口部である複数の冷却風穴１００が形成されている。複数の冷却風穴１００は、図７に示されるように、駆動回路基板カバー６７が駆動回路基板６１に取り付けられている状態において、第２ダクト１７０が配置されている側の半分の領域に形成されている。複数の冷却風穴１００の大きさは一定ではなく、互いの距離も一定ではない。すなわち、本体凸部６７１には、大小様々な複数の冷却風穴１００が点在している。
【００２９】
本体凸部６７１の表面には、上述の円弧状の遮熱壁６８が立設され、複数の操作基板受け６９が設けられている。遮熱壁６８は、図５に示されるように第１加熱コイル５１の外周縁の一部に沿うように湾曲している。図５に示す操作基板４２は、操作基板受け６９を介して本体凸部６７１の表面に取り付けられている。
【００３０】
再び図８及び図９を参照すると、本体凸部６７１の裏面には、第１仕切壁１０１と、第２仕切壁１０２と、第３仕切壁１０３と、第４仕切壁１０４が立設されている。第１仕切壁１０１は、送入口６７３から流入する風の風路上に配置されている。第１仕切壁１０１は、直線部１０１Ａと円弧部１０１Ｂとを有している。直線部１０１Ａは、短辺側面部６７１Ｃと平行に延びている。円弧部１０１Ｂは、直線部１０１Ａと連続しており、長辺側面部６７１Ｂと短辺側面部６７１Ｃが交差する角部に向かって膨らむように湾曲している。
【００３１】
第２仕切壁１０２は、短辺側面部６７１Ｃから、本体凸部６７１の内方に向かう方向へ、長辺側面部６７１Ａ及び長辺側面部６７１Ｂと略平行に延びている。第２仕切壁１０２は、長辺側面部６７１Ａと長辺側面部６７１Ｂとの間において、長辺側面部６７１Ｂに近い位置に配置されている。
【００３２】
第３仕切壁１０３は、短辺側面部６７１Ｃから、本体凸部６７１の内方側へ向かって突出している。第３仕切壁１０３は、短辺側面部６７１Ｃの送入口６７３側の部分との角度が鈍角となり、短辺側面部６７１Ｃの長辺側面部６７１Ｂ側の部分との角度が鋭角となるよう、形成されている。
【００３３】
第４仕切壁１０４は、Ｌ字型の形状を呈しており、第１直線部１０４Ａと第２直線部１０４Ｂとを有している。第１直線部１０４Ａは、送入口６７３よりも本体凸部６７１のやや内方に位置し、短辺側面部６７１Ｃと略平行に延びている。第２直線部１０４Ｂは、長辺側面部６７１Ａ及び長辺側面部６７１Ｂと略平行に延びている。すなわち、第２直線部１０４Ｂは、第２仕切壁１０２と略平行に延びている。
【００３４】
第１仕切壁１０１の直線部１０１Ａは、送入口６７３から流入し、第４仕切壁１０４の第１直線部１０４Ａと短辺側面部６７１Ｃとにより導かれる風の流れを２分割するよう、当該風の風路上に位置している。また、第１仕切壁１０１の円弧部１０１Ｂは、第４仕切壁１０４の第２直線部１０４Ｂと第２仕切壁１０２との間に位置している。
【００３５】
第１ダクト１６０の送入口６７３から流入した風の流れは、第１仕切壁１０１により２方向に分割される。２方向に分割される風の流れの一方は、第４仕切壁１０４の第１直線部１０４Ａと第１仕切壁１０１により導かれ、第４仕切壁１０４の第２直線部１０４Ｂに沿って短辺側面部６７１Ｄへ向かう流れである。２方向に分割される風の流れの他方は、第１仕切壁１０１と第３仕切壁１０３により導かれ、第２仕切壁１０２に沿って短辺側面部６７１Ｄへ向かう流れである。第４仕切壁１０４の第２直線部１０４Ｂに沿って流れる風は、短辺側面部６７１Ｄに当たると、送出口６７４の方向へ導かれる。同様に、第２仕切壁１０２に沿って流れる風は、短辺側面部６７１Ｄに当たると、送出口６７４の方向へ導かれる。以上の態様で、第１ダクト１６０において、送入口６７３から流入した風は、送出口６７４から送り出される。
【００３６】
図７に示すように、第１ダクト１６０は、送入口６７３がシロッコファン８３の側に位置し、送出口６７４が第２ダクト１７０の側に位置するよう、外郭ケース３００内において配置されている。すなわち、第１ダクト１６０は、シロッコファン８３から送出される風を駆動回路基板６１に導くダクトである。そして、第２ダクト１７０は、送入口７３１が第１ダクト１６０の送出口６７４に対向するよう、外郭ケース３００内において配置されている。従って、上述の態様で第１ダクト１６０の送出口６７４から送り出された風は、第２ダクト１７０の送入口７３１に送り込まれる。
【００３７】
図１０は、駆動回路基板カバーの一部を切り欠いて示す図である。図１０は、太線枠Ｘで示す部分で駆動回路基板カバー６７の一部を切り欠いている。そして、図１０は、駆動回路基板カバー６７が駆動回路基板６１に取り付けられた状態における、駆動回路基板６１に搭載されている部品と駆動回路基板カバー６７の本体凸部６７１の裏面に設けられている部材との相対的位置関係を示している。図１１は、図１０の太線枠Ｘ内を拡大して示す図である。
【００３８】
第１仕切壁１０１は、仕切板６６及び第１電子部品グループ９１よりも、第１ダクト１６０の送入口６７３に近い側に位置するよう、上述の本体凸部６７１の裏面に位置づけられている。第１ダクト１６０に流入した風が当たる方向において、第１仕切壁１０１の円弧部１０１Ｂの仕切板６６側の端部と、仕切板６６の第１仕切壁１０１の円弧部１０１Ｂ側の端部とが重なり合っており、互いに当接している。円弧部１０１Ｂの仕切板６６側の端部は、仕切板６６の円弧部１０１Ｂ側の端部よりも、第１ダクト１６０の送入口６７３に近い位置に位置している。
【００３９】
第２仕切壁１０２は、仕切板６６と平行に延びるよう、本体凸部６７１の裏面に設けられている。また、第２仕切壁１０２は、仕切板６６及び第１電子部品グループ９１よりも第１ダクト１６０の送入口６７３から遠い位置に位置するよう、本体凸部６７１の裏面に位置づけられている。
【００４０】
以上の構成により、第１ダクト１６０内において、送入口６７３から流入した風の一部は、第１仕切壁１０１に導かれ、次いで仕切板６６に導かれ、第１電子部品グループ９１に導かれる。また、送入口６７３から流入した風の一部は、第１仕切壁１０１、第２仕切壁１０２、及び第３仕切壁１０３により、第２電子部品グループ９２に導かれる。
【００４１】
図１２は、本発明の実施の形態に係る加熱調理器の内部構造を示す平面図である。図１２は、トッププレート２０とフレーム３０と駆動回路基板カバー６７と電源回路基板カバー７３を取り外した状態を示している。図１３は、本発明の実施の形態に係る加熱調理器の内部構造を示す斜視図である。図１３は、図７と同様の斜視図であり、加熱調理器１の本体１０内における冷却風の流れを示している。ここで、図５、図１２及び図１３を参照しながら、加熱調理器１の本体１０内における冷却風の流れについて説明する。図１３において、点線の太矢印Ｙ１、Ｙ２、及びＹ３は、第１ダクト１６０内の冷却風の流れを示している。図１３において、点線の太矢印Ｙ４は、第２ダクト１７０内の冷却風の流れを示している。
【００４２】
図１２及び図１３に示されるように、シロッコファン８３を細矢印で示す回転方向Ｒに回転させると、シロッコファン８３は、図６に示す吸気口３０７から外気を吸気し、冷却風を送出する。上述のように、シロッコファン８３は、外郭ケース３００に対して、回転方向Ｒとは逆方向に回転させた姿勢でファン搭載部８１に取り付けられている。この構成により、シロッコファン８３が回転方向Ｒに回転することにより発生する冷却風は、太矢印Ｙ１で示すように、第１ダクト１６０の送入口６７３に向かって送出される。
【００４３】
第１ダクトと１６０の送入口６７３に流入した冷却風は、図８及び図９を参照して説明したように、太矢印Ｙ２で示されるように、駆動回路基板カバー６７の短辺側面部６７１Ｄに向かう方向へ導かれる。すなわち、送入口６７３に流入した冷却風は、シロッコファン８３の冷却風の送出方向と交差する方向であって、本体１０の内方へ向かう方向に導かれる。そして、シロッコファン８３の回転方向Ｒは、送入口６７３に流入した冷却風が、シロッコファン８３の冷却風の送出方向と交差する方向であって、本体１０の内方へ向かう曲がりの方向と同一となっている。
【００４４】
次いで、短辺側面部６７１Ｄに向かう方向へ導かれた冷却風の一部は、図８及び図９を参照して説明したように、短辺側面部６７１Ｄに当たり、太矢印Ｙ３で示すように送出口６７４の方向へ導かれる。すなわち、冷却風は、シロッコファン８３の冷却風の送出方向の逆方向に導かれる。
【００４５】
次いで、第１ダクト１６０の送出口６７４から送り出された冷却風は、第２ダクト１７０の送入口７３１に流入する。送入口７３１に流入した冷却風は、電源回路基板カバー７３の後側面に当たり、太矢印Ｙ４で示されるように、送出口７３２からシロッコファン８３が位置する方向へ送り出される。
【００４６】
次いで、送出口７３２から送り出された冷却風は、太矢印Ｙ５で示されるように、斜面部９０によりシロッコファン８３へ導かれる。シロッコファン８３へ導かれた冷却風は、太矢印Ｙ６で示されるように、スリット３０８を通過し、太矢印Ｙ７で示されるように、排気口３５から外方へ排出される。
【００４７】
以上のように、本実施の形態において、シロッコファン８３から送出される冷却風は、駆動回路基板カバー６７と駆動回路基板６１とで形成される第１ダクト１６０により、駆動回路基板カバー６７の送出口６７４へ導かれる。そして、駆動回路基板カバー６７の送出口６７４から送り出された冷却風は、電源回路基板カバー７３と電源回路基板７１とで形成される第２ダクト１７０により、シロッコファン８３へ送出される。すなわち、第１ダクト１６０により、シロッコファン８３から送出される冷却風をシロッコファン８３の送出方向と交差する方向であって本体１０の内方へ向かう方向に導き、冷却風をシロッコファン８３の送出方向の逆方向に導く風路が形成されている。そして、シロッコファン８３の送出方向の逆方向に導かれた冷却風をシロッコファン８３が設けられている方向へ送出する風路が、第２ダクト１７０により形成されている。そして、第１ダクト１６０及び第２ダクト１７０が形成している風路では、第１ダクト１６０において駆動回路基板６１が位置し、第２ダクト１７０において電源回路基板７１が位置している。これにより、駆動回路基板６１に実装されている第１電子部品グループ９１と第２電子部品グループ９２、及び電源回路基板７１の実装部品が冷却される。
【００４８】
一方、短辺側面部６７１Ｄに向かう方向へ導かれた冷却風の一部は、駆動回路基板カバー６７の本体凸部６７１に設けられた複数の冷却風穴１００を介して駆動回路基板カバー６７の上方へ流れ出る。上述のように、第１加熱コイル５１は駆動回路基板カバー６７の表面に取り付けられている。これにより第１加熱コイル５１の底面が冷却される。駆動回路基板カバー６７の上方へ流れ出た冷却風は、図５において太矢印Ｙ８で示されるように、風路壁７４に導かれて、第２加熱コイル５２へ導かれる。これにより、第２加熱コイル５２の底面が冷却される。この風路には、第１加熱コイル５１と第２加熱コイル５２が位置している。そして、第２加熱コイル５２の底面を冷却した冷却風は、太矢印Ｙ６で示されるように、スリット３０８を通過し、太矢印Ｙ７で示されるように、排気口３５から外方へ排出される。
【００４９】
以上のように、本実施の形態において、加熱調理器１の本体１０の内部を単一のシロッコファン８３で冷却している。すなわち、第１加熱コイル５１、第２加熱コイル５２、第１電子部品グループ９１、及び第２電子部品グループ９２を、単一のシロッコファン８３から送り出される冷却風のみで冷却している。従って、加熱調理器１の冷却効率を向上させることができる。
【００５０】
シロッコファン８３から送り出される冷却風は、駆動回路基板カバー６７の本体凸部６７１に設けられた第１仕切壁１０１、第２仕切壁１０２及び第３仕切壁１０３により、第１電子部品グループ９１及び第２電子部品グループ９２に導かれる。すなわち、第１ダクト１６０の風路上に、発熱部材が位置している。従って、加熱調理器１の冷却効率を向上させることができる。
【００５１】
本実施の形態において、シロッコファン８３の回転方向Ｒは、送入口６７３に流入した冷却風の曲がりの方向と同一となっている。従って、冷却風の圧力損失を抑制することができる。
【００５２】
本実施の形態において、シロッコファン８３から送り出される冷却風は、本体１０を平面視した場合の時計回りに流れて、シロッコファン８３に戻るよう導かれており、シロッコファン８３の回転方向Ｒと冷却風の流れの方向が同一方向となっている。従って、冷却風の圧力損失を抑制することができる。
【００５３】
本実施の形態では、遠心ファンであるシロッコファン８３を用いており、風が水平方向に送り出されるよう配置されている。従って、本体１０を薄型にすることができる。
【００５４】
本実施の形態では、ノイズフィルタ７２が実装されている電源回路基板７１は、第１加熱コイル５１及び第２加熱コイル５２が配置されていない領域に配置されており、ノイズフィルタ７２の上方に第１加熱コイル５１及び第２加熱コイル５２が配置されていない。従って、ノイズフィルタ７２は、第１加熱コイル５１及び第２加熱コイル５２による熱の影響及びノイズの影響を受けることがない。
【００５５】
第１加熱コイル５１の最大火力は第２加熱コイル５２の最大火力より大きい。そして、第１加熱コイル５１は、駆動回路基板カバー６７の上に、冷却風穴１００を覆うように配置されている。従って、駆動回路基板カバー６７の冷却風穴１００から導かれる冷却風は、最初に第１加熱コイル５１の底面を冷却することになる。その結果、低温状態の冷却風で、最大火力が大きい方の第１加熱コイル５１の底面を冷却することができ、冷却効率がよい。
【００５６】
本実施の形態では、第２加熱コイル５２は、本体１０内の後側であって右側の領域に配置され、スリット３０８は、外郭ケース３００の後側面３０３の右半分の領域に形成され、排気口３５は、後側面３０３のフランジ３０６の右半分の領域に形成されている。従って、風路壁７４に導かれ、スリット３０８を介して排気口３５に導かれる冷却風の風路上に、第２加熱コイル５２が位置することになり、冷却風を第２加熱コイル５２に集中させることができる。その結果、第２加熱コイル５２の底面を効率よく冷却することができる。
【００５７】
本実施の形態では、駆動回路基板カバー６７の上面に、遮熱壁６８が設けられている。従って、操作基板４２が第１加熱コイル５１の熱の影響を受けることが防止される。
【００５８】
本実施の形態では、後側面３０３の後方に後部ケース３１１が取り付けられており、後部ケース３１１はスリット３０８とオーバーラップしている。従って、スリット３０８を通過した冷却風を排気口３５へ容易に導くことができる。
【００５９】
また、加熱調理器１の本体１０の内部を単一のシロッコファン８３で冷却しているため、複数のファンを設ける場合に比べ、騒音を低減することができる。さらに、本実施の形態では、シロッコファン８３は、本体１０の外郭ケース３００において、後方側に配置されている。従って、本体１０の前方側に配置する場合に比べ、使用者に聞こえるシロッコファン８３の騒音を低減することができる。
【００６０】
また、加熱調理器１の本体１０の内部を単一のシロッコファン８３で冷却しているため、複数のファンを設ける場合に比べ、加熱調理器１の製造コストの高騰を抑えることができる。
【符号の説明】
【００６１】
１  加熱調理器、１０  本体、２０  トッププレート、２１  前側載置部、２２  後側載置部、３０  フレーム、３１  操作部、３２  前側操作ボタン群、３３  後側操作ボタン群、３４  電源ボタン、３５  排気口、３６  排気カバー、３７  タイマーボタン群、４０  表示部、４１  表示ユニット、４２  操作基板、４３  操作ボタン群、５１  第１加熱コイル、５２  第２加熱コイル、６０  駆動回路基板取付板、６１  駆動回路基板、６２  インバーター素子、６３  第１放熱フィン群、６４  インバーター素子、６５  第２放熱フィン群、６６  仕切板、６７  駆動回路基板カバー、６８  遮熱壁、６９  操作基板受け、７０  電源回路基板取付板、７１  電源回路基板、７２  ノイズフィルタ、７３  電源回路基板カバー、７４  風路壁、８０  ファン取付板、８１  ファン搭載部、８２  開口部、８３  シロッコファン、９０  斜面部、９１  第１電子部品グループ、９２  第２電子部品グループ、１００  冷却風穴、１０１  第１仕切壁、１０１Ａ  直線部、１０１Ｂ  円弧部、１０２  第２仕切壁、１０３  第３仕切壁、１０４  第４仕切壁、１０４Ａ  第１直線部、１０４Ｂ  第２直線部、１６０  第１ダクト、１７０  第２ダクト、３００  外郭ケース、３０１  底面、３０２  前側面、３０３  後側面、３０４  右側面、３０５  左側面、３０６  フランジ、３０７  吸気口、３０８  スリット、３０９  補強金具、３１０  補強金具、３１１  後部ケース、６７１  本体凸部、６７１Ａ  長辺側面部、６７１Ｂ  長辺側面部、６７１Ｃ  短辺側面部、６７１Ｄ  短辺側面部、６７２  フランジ、６７３  送入口、６７４  送出口、７３１  送入口、７３２  送出口。
【図１】
2019087367.tif 000003
【図２】
2019087367.tif 000004
【図３】
2019087367.tif 000005
【図４】
2019087367.tif 000006
【図５】
2019087367.tif 000007
【図６】
2019087367.tif 000008
【図７】
2019087367.tif 000009
【図８】
2019087367.tif 000010
【図９】
2019087367.tif 000011
【図１０】
2019087367.tif 000012
【図１１】
2019087367.tif 000013
【図１２】
2019087367.tif 000014
【図１３】
2019087367.tif 000015